(57)【要約】【課題】  輪転印刷における品質保証を可能にするように、ゴムブランケットを表面で凹型や凸型に仕上げなくても、あるいはその他の処置をゴムブランケットに講じなくても、さらには、ゴムブランケット胴に施す処置を簡単でコストのかからないものにしながら、ゴムブランケットの搬送特性を制御できるゴムブランケット胴を作製する。【解決手段】  印刷幅の中に、ゴムブランケット胴３，６の回転軸線に対して略平行に延在する、略一様に直径を低減させた形態の凹んだ表面領域４，７が設けられ、該表面領域内に、少なくとも外側が凹形に加工されたフォイル５，８が嵌め込まれており、前記フォイルが前記表面領域４，７を満たしている。【選択図】  図２ 
2004188974.tif 000002
【特許請求の範囲】
【請求項１】
弾性変形可能な材料からなる平らなゴムブランケットを収容するための、オフセット印刷機のゴムブランケット胴において、
印刷幅の中に、ゴムブランケット胴（３，６）の回転軸線に対して略平行に延在する、略一定に直径を低減させた形態の凹んだ表面領域（４，７）が設けられ、該表面領域内に、少なくとも外側が凹形に加工されたフォイル（５，８）が嵌め込まれており、前記フォイルによって前記表面領域（４，７）が満たされていることを特徴とするゴムブランケット胴。
【請求項２】
請求項１に記載のゴムブランケット胴において、
前記凹んだ表面領域（７）は、前記ゴムブランケット胴（６）の軸線方向中央に関して対称に、いくらか凹形に表面加工されており、前記表面領域内に、フォイル（８）が嵌め込まれており、前記フォイルによって前記表面領域（７）が満たされていることを特徴とするゴムブランケット胴。
【発明の詳細な説明】
【技術分野】
【０００１】
本発明は、請求項１の前提部分おいて書き部に記載のゴムブランケット胴に関する。
【背景技術】
【０００２】
オフセット輪転印刷機において、印刷像は、周知のように、プレート胴もしくは版胴からゴムブランケット胴へ、さらには、このゴムブランケット胴から、印刷胴上を走行する紙の上へと転写される。印刷版からゴムブランケットへのインキの転写だけでなく、同じくゴムブランケットから紙の上への転写もまた、ゴムブランケット胴と、プレート胴もしくは版胴との間、あるいはゴムブランケット胴と対向圧胴との間の線圧と呼ばれる或る決まった最小限の圧力が存在して初めて可能になる。
【０００３】
ここで、上述したことに関連して、常に拡大しつづける生産性への要求から、あるいは、出来るだけ軽くてコストのかからない印刷版胴を作製する努力を通じて、品質保証に関わる問題が生じてくる。いわゆる溝無し印刷、それも、スリーブ上に溝無しで着設された印刷版、および／または、溝無しで着設されたゴムブランケットに代表されるスリーブ技術の場合にはまさに、胴溝が無いおかげで振動が励起されることが少なくなるので、剛性を低くすることができ、そのため、印刷胴の長さ／厚さ比、もしくは、たわみに関する相対的な自身の剛性は、常に不利になり続けている。この結果、印刷運転中に、不本意にも印刷胴同志の形や姿勢が互いに変化する、すなわち、印刷胴がたわんでしまうことになるのである。
【０００４】
たわみによる位置や姿勢の変化（本明細書中、位置姿勢変化と呼ぶこともある）は、押し当て方、言い換えれば、印刷装置内で協働する印刷胴同志の間の当接圧力を、胴幅に亙って不均一なものに変えてしまう。押し当て方は、通常、いわゆる押し付け跡幅を測定することによって数値的に読み取れる。押し付け跡幅というのは、互いに当接された、つまり押圧状態に持来された胴同志において、胴の接触領域を決めるゾーンの幅のことである。この測定は、オフセット印刷の場合には、とりわけ簡単である。というのも、この場合、胴の対のうち一方の胴が圧縮可能な（柔らかい）表面を有しているからである。
【０００５】
こうして残った機械的な調整の欠如により、本明細書において上述した位置姿勢変化のため紙ウェブが幅方向に亙って不均一な速度プロファイルで動くと、周知のように、ゴム胴の印刷間隙において、搬送される紙ウェブに皺が発生する。この場合、紙ウェブの中心は、ウェブの外側よりも早く動き、これが印刷見当合わせ問題を発生させることになる。このような印刷見当合わせ問題に対処するために、今日、様々な方法が用いられている。こうして、ウェブ幅を制御する像調整器（Bildregler）が用いられる。像調整器は、通常、回転するいくつかの小形ホイールであり、これらのホイールが、幅を小さくする轍をウェブ内に押し付ける。この問題を解消するために、特許文献１としての独国特許出願公開第４４３６９７３号明細書では、さらに他の方法が開示されている。すなわち、ゴムブランケット（本明細書中ゴムスリーブ）を自身の表面形状に関して凹型もしくは凸型に形成する、つまり胴の軸線方向における外周面が、ゴムブランケット胴上で凸型もしくは凹型の形をなすようにして厚さプロファイルを変化させるというものである。つまり、平らなゴムブランケット／ゴムスリーブと接合された特に凹形に表面加工されたゴムブランケット／ゴムスリーブならびに凹型に切削されて表面加工された胴表面が記載されている。
【０００６】
加えて、ゴムブランケット胴とゴムブランケットとの間に挟み込まれたフォイル形態の下敷きを然るべく配置することで、上述した印刷見当合わせ問題を解消する試みがやはり既になされてきた。かくして、特許文献２としての欧州特許第０７０４３０１号明細書は、ゴムブランケットをゴムブランケット胴上で調整してより良好に留めるための貼着性のプラスチックフォイル形態の薄い中間層を開示している。これに対して、ゴムブランケット胴の表面は、薄いフォイルの厚さに対応して、直径が少なくなるようにして形成された凹んだ部分を有している。
【特許文献１】独国特許出願公開第４４３６９７３号明細書
【特許文献２】欧州特許第０７０４３０１号明細書
【発明の開示】
【発明が解決しようとする課題】
【０００７】
従って、本発明の課題は、ゴムブランケットを表面で凹型や凸型に仕上げなくても、あるいはその他の処置をゴムブランケットに講じなくても、さらには、ゴムブランケット胴に施す処置を簡単でコストのかからないものにしながら、ゴムブランケットの搬送特性を制御できるゴムブランケット胴を、輪転印刷における品質保証が可能になるようにして作製することにある。
【課題を解決するための手段】
【０００８】
この課題は、本発明により、請求項１の特徴部分に記載の構成によって解決される。
【０００９】
この解決手段は、溝無しのゴムスリーブだけでなく、溝付きのゴムスリーブにも適用できる。
【発明を実施するための最良の形態】
【００１０】
以下に本発明を２つの実施形態に基づき説明する。
【００１１】
図１は、凹形にカット／表面加工／研磨された胴表面２を有するゴムブランケット胴１を示す。この胴には、前記の如き凹形の表面プロファイルが強制的に押し付けられる平らなゴムブランケットを用いることができる。その結果、ゴムブランケットの表面の側方端部が、ゴムブランケットの中心部に比べて、下方にあるゴムブランケット胴１の回転軸線から半径方向に遠く離れることになる。このようにして得られた表面速度分布（表面速度プロファイル）によって、紙ウェブに係る搬送特性が改善され、皺の形成が解消される。ただ、ゴムブランケット胴における表面加工工程には、それでもやはり手間とコストがかかる。
【００１２】
図２は、直径が一様に減らされて回転軸線に平行に延びる凹んだ表面領域４を有する本発明に係るゴムブランケット胴３を示す。この表面領域４には、少なくとも外側が凹形に加工されたフォイル５が挿入され、このフォイルによって、表面領域４が完全に満たされ、ゴムブランケット胴３の外周面には、中心に関して対称に延在する凹形の形状が間接的に与えられている。
【００１３】
この凹形に加工されたフォイル５は、容易に交換可能な貼着性のプラスチックフォイルにすることができる。このフォイル５は、もちろんそれ自身交換可能なスリーブとして形成されていてもよい。フォイル５は、胴上で（溝付きの、もしくはスリーブとしての）ゴムブランケットを調整するのに役立つ一方、他方では、ローラ中心部分における最適な付着性を与えるのに役立つ。
【００１４】
図３は、図２のゴムブランケット胴６を示すが、この胴は、真中に関して対称に凹形にカット／表面加工／研磨された凹んだ表面領域７を有している。この表面領域７内には、平らな、もしくは同じく凹形に加工されたフォイル８をはめ込むことができる。
【図面の簡単な説明】
【００１５】
【図１】平らな表面を有するゴムブランケットを載せることのできる、表面が凹形に加工された胴表面を有するゴムブランケット胴を示す図であって、凹形に延びる上面が該ゴムブランケットを型押しするように構成された、独国特許出願公開第４４３６９７３号明細に記載の従来技術によるゴムブランケット胴を示す図である。
【図２】薄いフォイルのコーティングの厚さに合わせて、直径を減らして凹形に加工された形の凹んだ表面領域と、凹形に加工されて被せられたフォイルとを有する本発明により形成されたゴムブランケット胴を示す図である。
【図３】凹形に表面加工された凹んだ表面領域と嵌め込まれたフォイルとを有する図２のゴムブランケット胴を示す図である。
【符号の説明】
【００１６】
３，６・・・ゴムブランケット胴
４，７・・・凹んだ表面領域
５，８・・・フォイル
【図１】
2004188974.tif 000003
【図２】
2004188974.tif 000004
【図３】
2004188974.tif 000005